(57)【要約】  バッテリアセンブリは、バッテリとバッテリの表面に取り付けられた取り外し可能タブとを含む。取り外し可能タブは、第１の表面および反対側に配置された第２の表面を有するメインタブ層を含み、メインタブ層は、電池取り付け領域および電池取り付け領域に隣接する把持領域を含む。取り外し可能タブはまた、メインタブ層の第１の表面の上に配置された第１の層と、把持領域のみにあるメインタブ層の第２の表面の一部分の上に配置された第２の層とをも含む。第１の層および第２の層の一方または両方は、約０．６マイクロメートル〜約２マイクロメートルの平均表面粗さを有するテクスチャ化層であり、テクスチャ化は、取り外し可能タブに外面を提供する。【特許請求の範囲】
【請求項１】
バッテリアセンブリであって、
第１の表面を有するバッテリと、前記バッテリの前記第１の表面に取り付けられた取り外し可能タブと
を備え、前記取り外し可能タブは、
第１の表面および反対側に配置された第２の表面を有するメインタブ層であり、前記メインタブ層は、電池取り付け領域および前記電池取り付け領域に隣接する把持領域を含む、メインタブ層と、
前記メインタブ層の前記第１の表面の上に配置された第１の層と、
前記把持領域のみにある前記メインタブ層の前記第２の表面の一部分の上に配置された第２の層と
を備え、
前記第１の層および前記第２の層の一方または両方は、約０．６マイクロメートル〜約６マイクロメートルの平均表面粗さを有するテクスチャ化層であり、前記テクスチャ化層は、前記取り外し可能タブに外面を提供する、バッテリアセンブリ。
【請求項２】
前記バッテリが金属／空気バッテリである、請求項１に記載のバッテリアセンブリ。
【請求項３】
前記金属／空気バッテリが亜鉛空気ボタン電池である、請求項２に記載のバッテリアセンブリ。
【請求項４】
前記第１の層が前記テクスチャ化層である、請求項１から３のいずれか一項に記載のバッテリアセンブリ。
【請求項５】
前記第２の層が実質的に平滑である、請求項４に記載のバッテリアセンブリ。
【請求項６】
前記第２の層が前記テクスチャ化層である、請求項１から３のいずれか一項に記載のバッテリアセンブリ。
【請求項７】
前記第１の層が実質的に平滑である、請求項６に記載のバッテリアセンブリ。
【請求項８】
前記第１の層が、二軸延伸ポリプロピレン、ポリプロピレン、ポリエチレンテレフタレート、二軸延伸ポリエチレンテレフタレート、ポリエステル、ポリオレフィン、ポリエチレン、および共押出体、積層体、および上記の他の組み合わせから成る群から選択される材料を含む、請求項７に記載のバッテリアセンブリ。
【請求項９】
前記第１の層および前記第２の層の両方がテクスチャ化層である、請求項１から３のいずれか一項に記載のバッテリアセンブリ。
【請求項１０】
前記第１の層および前記第２の層が同じ平均表面粗さを有する、請求項９に記載のバッテリアセンブリ。
【請求項１１】
前記第１の層および前記第２の層が、異なる平均表面粗さを有する、請求項９に記載のバッテリアセンブリ。
【請求項１２】
前記テクスチャ化層が、研磨コーティング、懸濁粒子を含むインクコーティングを有する印刷材料、および上記の組み合わせから成る群から選択される材料を含む、請求項１から１１のいずれか一項に記載のバッテリアセンブリ。
【請求項１３】
前記テクスチャ化層が、エンボス加工層または研磨層である、請求項１から１２のいずれか一項に記載のバッテリアセンブリ。
【請求項１４】
前記タブは、前記電池取り付け領域と比較して、前記把持領域においてより厚い、請求項１から１３のいずれか一項に記載のバッテリアセンブリ。
【請求項１５】
前記第２の層は、約１ミル〜約１０ミルの厚さを有する、請求項１から１４のいずれか一項に記載のバッテリアセンブリ。
【請求項１６】
前記第２の層は、２ミルより大きい厚さを有する、請求項１から１２のいずれか一項に記載のバッテリアセンブリ。
【請求項１７】
前記第１の層と前記メインタブ層との間に配置された印刷層をさらに備える、請求項１から１６のいずれか一項に記載のバッテリアセンブリ。
【請求項１８】
前記第２の層が、二軸延伸ポリプロピレン、ポリプロピレン、ポリエチレンテレフタレート、二軸延伸ポリエチレンテレフタレート、ポリエステル、ポリオレフィン、ポリエチレン、および共押出体、積層体、および上記の他の組み合わせから成る群から選択される材料を含む、請求項１から１７のいずれか一項に記載のバッテリアセンブリ。
【請求項１９】
前記バッテリアセンブリは、前記メインタブ層の前記第２の表面上の接着剤をさらに備え、前記第２の層は、前記把持領域内の前記接着剤を覆う、請求項１から１８のいずれか一項に記載のバッテリアセンブリ。
【請求項２０】
前記メインタブ層は、前記電池取り付け領域内に第１の側壁および第２の側壁を備え、前記第１の側壁および前記第２の側壁の少なくとも一方は、前記バッテリの周縁部から外方へと内向きに湾曲し、結果、前記バッテリの前記第１の表面の一部分が、前記バッテリの前記周縁部と前記第１の側壁および前記第２の側壁の前記少なくとも一方との間に露出する、請求項１から１９のいずれか一項に記載のバッテリアセンブリ。
【請求項２１】
電池のための取り外し可能タブであって、
第１の表面および反対側に配置された第２の表面を有するメインタブ層であり、前記メインタブ層は、電池取り付け領域および前記電池取り付け領域に隣接する把持領域を含む、メインタブ層と、
前記メインタブ層の前記第１の表面の上に配置された第１の層と、
前記把持領域のみにある前記メインタブ層の前記第２の表面の一部分の上に配置された第２の層と
を備え、
前記第１の層および前記第２の層の一方または両方は、約０．６マイクロメートル〜約６マイクロメートルの平均表面粗さを有するテクスチャ化層であり、前記テクスチャ化層は、前記取り外し可能タブに外面を提供する、取り外し可能タブ。
【発明の詳細な説明】
【技術分野】
【０００１】
本開示は、概して、グリップを改善された取り外し可能タブおよびそれを有するバッテリアセンブリに関し、より詳細には、テクスチャ化層を有する取り外し可能タブおよびそれを有するバッテリアセンブリに関する。
【背景技術】
【０００２】
過去１５年にわたって、難聴を患う人の数はほぼ２倍になった。難聴を患っている人の多くは高齢者であり、特に６５歳以降、男性と女性の両方で年齢とともに手の機能が低下する。この手の機能の損失によって、消費者による取り扱いが容易になるようにバッテリに接着される比較的長いタブである、ＥａｓｙＴａｂ（登録商標）（Ｄｕｒａｃｅｌｌ  Ｕ．Ｓ．  Ｏｐｅｒａｔｉｏｎｓ，  Ｉｎｃ．）などのタブを使用しても、補聴器のバッテリを交換することがより困難になる可能性がある。ＥａｓｙＴａｂ（登録商標）などの従来の補聴器タブは、通常、バッテリの上面全体がタブで覆われて接着されるようにバッテリに取り付けられる。比較的長いタブは、消費者による補聴器へのバッテリの挿入を容易にするという事実にもかかわらず、補聴器へのバッテリの挿入は、バッテリおよび関連するタブの頻繁な不用意な落下を含む取り扱いの課題を提示し続け、したがって、特に高齢の消費者にとって、多大な消費者のフラストレーションの原因となり得る。
【発明の概要】
【発明が解決しようとする課題】
【０００３】
本開示は、バッテリの交換中にユーザによる表面の把持を有利に増進する補聴器バッテリタブを提供する。本開示による補聴器バッテリタブはまた、タブを握るときに、改善された触覚フィードバックをユーザに提供することもできる。これは、高齢者、または、神経障害もしくは他の触覚低下を経験している可能性のある人に特に有用であり得る。
【課題を解決するための手段】
【０００４】
本開示の一実施形態によれば、バッテリアセンブリは、第１の表面を有するバッテリと、バッテリの第１の表面に取り付けられた取り外し可能タブとを含む。取り外し可能タブは、第１の表面および反対側に配置された第２の表面を有するメインタブ層を含み、メインタブ層は、電池取り付け領域および電池取り付け領域に隣接する把持領域を含む。取り外し可能タブは、メインタブ層の第１の表面の上に配置された第１の層と、把持領域にあるメインタブ層の第２の表面の一部分の上に配置された第２の層とをさらに含む。第１の層および第２の層の一方または両方は、約０．６マイクロメートル〜約６マイクロメートルの平均表面粗さを有するテクスチャ化層である。テクスチャ化層は、取り外し可能タブに外面を提供する。
【０００５】
本開示の別の実施形態によれば、電池のための取り外し可能タブは、第１の表面および反対側に配置された第２の表面を有するメインタブ層を含む。メインタブ層は、電池取り付け領域と、電池取り付け領域に隣接する把持領域とを含む。取り外し可能タブは、メインタブ層の第１の表面の上に配置された第１の層と、
【０００６】
把持領域にあるメインタブ層の第２の表面の一部分の上に配置されている第２の層とをさらに含む。第１の層および第２の層の一方または両方は、約０．６マイクロメートル〜約６マイクロメートルの平均表面粗さを有するテクスチャ化層である。
【図面の簡単な説明】
【０００７】
【図１】従来のバッテリアセンブリの概略図である。
【図２】本開示の一実施形態によるバッテリアセンブリの概略図である。
【図３】本開示の別の実施形態によるバッテリアセンブリの概略図である。
【図４】図３に示されているような層構造を有する本開示の一実施形態によるバッテリアセンブリの上面図である。
【図５】本開示の一実施形態によるバッテリアセンブリの底面図である。
【図６】本開示の一実施形態によるバッテリアセンブリの斜視図である。
【図７】本開示の一実施形態によるバッテリアセンブリの底面図である。
【発明を実施するための形態】
【０００８】
本開示の一実施形態によるバッテリアセンブリ１０は、第１の表面１４を有するバッテリ１２と、バッテリ１２の第１の表面１４に取り付けられた取り外し可能タブ１６とを含む。本明細書に開示される実施形態のいずれかの取り外し可能バッテリタブ１６は、任意の適切なバッテリタイプおよび／またはサイズで利用することができる。例えば、バッテリは補聴器バッテリとすることができる。一態様において、補聴器バッテリは金属／空気バッテリであり、例えば、補聴器バッテリは亜鉛空気ボタン電池とすることができる。さらに、当該技術分野で知られているように、ボタン電池には様々なサイズがある。取り外し可能タブ１６の寸法は、取り付けられるバッテリのサイズに応じて調整することができる。そのような調整は、タブのバッテリ取り付け領域の幅および／または長さの変更を含むことができる。付加的にまたは代替的に、バッテリサイズに応じて、必要に応じてタブ全体の長さを調整することができる。本開示の実施形態によれば、バッテリおよび取り外し可能タブを含むバッテリアセンブリが提供される。他の実施形態によれば、バッテリへのその後の取り付けのために、取り外し可能タブが提供される。
【０００９】
図２および図３を参照すると、取り外し可能タブ１６は、バッテリ１２の第１の表面１４に接着して取り付けられる電池取り付け領域１８と、取り外し可能タブ１６に外面を提供するテクスチャ化層２２とを含み、結果、消費者が取り外し可能タブ１６を保持するときにテクスチャ化層外面と相互作用することができる。テクスチャ化層２２は、少なくとも取り外し可能タブ１６の把持領域２０内に配置される。把持領域２０は、電池取り付け領域１８と同一の広がりを有しない、取り外し可能タブ１６の一部分である。より具体的には、把持領域２０は、バッテリ１２の第１の表面１４と同一の広がりを有する取り外し可能タブのいかなる部分とも重なり合わない。テクスチャ化層２２は、従来の取り外し可能タブの滑りやすい表面を有利に排除し、バッテリ交換中にタブ１６をより確実に把持することを可能にする改善された把持領域２０を提供し、それにより、補聴器などのデバイスへのバッテリの挿入中の消費者のフラストレーションを最小限に抑える。
【００１０】
再び図２および図３を参照すると、本開示の一実施形態によれば、取り外し可能タブ１６は、第１の表面２８および反対側に配置された第２の表面３０を有するメインタブ層２６を含むことができる。第１の層３２が、メインタブ層２６の第１の表面２８の上に配置され、第２の層３４が、把持領域２０内の、メインタブ層２６の第２の表面３０の一部分の上に配置される。第１の層３２および第２の層３４の一方または両方は、少なくとも把持領域２０において取り外し可能タブ１６に外面を提供するテクスチャ化層２２である。
【００１１】
例えば、図３および図４を参照すると、一実施形態では、第１の層３２は、テクスチャ化層２２であるか、またはそれを含む。そのような実施形態では、第２の層３４は実質的に平滑化することができる。別の実施形態では、図２および図５を参照すると、第２の層３４は、テクスチャ化層２２であるか、またはそれを含む。そのような実施形態では、第１の層３２は実質的に平滑化することができる。さらに別の実施形態では、第１の層３２および第２の層３４の両方がテクスチャ化層２２を含むか、またはそれ自体がテクスチャ化層２２である。そのような実施形態では、第１の層３２および第２の層３４は同じまたは異なるテクスチャを有することができる。例えば、第１の層３２および第２の層３４がテクスチャ化層２２であるか、またはテクスチャ化層２２を含む場合、層３２、３４は両方とも、実質的に同じ平均表面粗さを有することができる。代替的に、第１の層３２および第２の層３４がテクスチャ化層２２であるか、またはテクスチャ化層２２を含む場合、層３２、３４は両方とも、異なる平均表面粗さを有することができる。
【００１２】
第１の層３２または第２の層３４が平滑層である実施形態では、第１の層３２または第２の層３４は、ポリプロピレン、ポリエチレンテレフタレート、ポリエチレン、ポリ酢酸ビニル、ベルベット層、およびそれらの組み合わせから成る群から選択される材料であり得る。他の熱可塑性材料も平滑層として使用することができる。さらに、滑らかなワニスを任意の適切な材料に施与するか、メインタブ層２６に直接施与して、第１の層３２および／または第２の層３４に平滑面を提供することができる。
【００１３】
テクスチャ化層２２は、約０．６マイクロメートル〜約６マイクロメートル、約０．６マイクロメートル〜１マイクロメートル、約０．８マイクロメートル〜約１．８マイクロメートル、約１マイクロメートル〜約２マイクロメートル、約０．７マイクロメートル〜約１．２マイクロメートル、約０．８マイクロメートル〜約１マイクロメートル、約０．６マイクロメートル〜約１．５マイクロメートル、約１．５マイクロメートル〜約２マイクロメートル、約１マイクロメートル〜約６マイクロメートル、約２マイクロメートル〜約５マイクロメートル、約３マイクロメートル〜約６マイクロメートル、および約１マイクロメートル〜約３マイクロメートルの平均表面粗さを有することができる。他の適切な粗さは、約０．６，０．７，０．８，０．９，１，１．１，１．２，１．３，１．４，１．５，１．６，１．７，１．８，１．９，２，２．１，２．２，２．３，２．４，２．５，２．６，２．７，２．８，２．９，３，３．１，３．２，３．３，３．４，３．５，３．６，３．７，３．８，３．９，４，４．１，４．２，４．３，４．４，４．５，４．６，４．７，４．８，４．９．５，５．１，５．２，５．３，５．４，５．５，５．６，５．７，５．８，５．９，および６マイクロメートルを含む。
【００１４】
テクスチャ化層２２は、例えば、平均表面粗さが適用される層または固有の表面粗さを有する層とすることができる。例えば、テクスチャ化層２２は、固有の表面粗さを有する、織物、ゴム材料、プラスチック、発泡体、ガラス繊維／ガラス、紙、ワックス、ホイル、およびそれらの組み合わせから成る群から選択される材料とすることができるか、または、その材料を含むことができる。代替的または付加的に、表面粗さは、コーティングの付加、材料の研磨、または材料のエンボス加工によって付与することができる。例えば、表面に懸濁粒子を含むインクを施与することにより、テクスチャを提供することができる。表面粗さを達成するためにインクに使用するのに適した粒子は、金属粒子、プラスチック粒子、石英粒子、およびセラミック粒子を含むが、これらに限定されない。例えば、一実施形態では、粒子は高純度石英とすることができる。一般に、インクに溶解しない粒子であれば、いかなる粒子も使用することができる。粒子は、付与される所望の表面粗さに応じて、任意の適切な直径を有することができる。例えば、粒子は、約５μｍ〜５０μｍ、約１０μｍ〜約２０μｍ、約１５μｍ〜約３０μｍ、約１０μｍ〜約３０μｍ、および約２５μｍ〜約４５μｍの平均直径を有することができる。他の適切な平均粒子直径は、約５，６，７，８，９，１０，１１，１２，１３，１４，１５，１６，１７，１８，１９，２０，２１，２２，２３，２４，２５，２６，２７，２８，２９，３０，３１，３２，３３，３４，３５，３６，３７，３８，３９，４０，４１，４２，４３，４４，４５，４６，４７，４８，４９，および５０μｍであり得る。
【００１５】
様々な実施形態において、メインタブ層２６は、タブ１６をバッテリ１２の第１の表面１４に取り付けるために、少なくとも取り外し可能タブ１６の電池取り付け領域１８上で、メインタブ層２６をバッテリに取り付けるために、第２の表面３０上に接着層３６を含むことができる。接着層３６として使用するのに適した接着剤は、感圧接着剤、例えばアクリル系感圧接着剤を含むが、これに限定されない。いくつかの実施形態では、接着層３６は、例えば、取り外し可能タブ１６の全長にわたって配置することができる。接着層３６は、把持領域２０において望ましくない粘着面が提示されないように、把持領域２０において第２の層３４によって覆うことができる。そのような実施形態では、第２の層３４は、熱可塑性材料、二軸延伸ポリエチレンテレフタレート、ポリエチレンテレフタレート、シリコン処理紙、ポリコート紙、ポリプロピレン、二軸延伸ポリプロピレンフィルム、ポリオレフィン、およびそれらの組み合わせから成る群から選択される材料とすることができる。第２の層３４がテクスチャ化層２２である実施形態では、テクスチャをそのような材料に適用することができ、または別個のキルテープを接着剤３６に取り付けることができ、次いで、テクスチャ化層２２としての第２の層３４がこれに取り付けられる。
【００１６】
メインタブ層２６は、バッテリタブに従来使用されている任意の適切な材料とすることができるか、またはそれを含むことができる。例えば、メインタブ層２６は熱可塑性材料を含むことができる。一実施形態では、メインタブ層２６は、二軸延伸ポリプロピレン、ポリプロピレン、ポリエチレンテレフタレート、二軸延伸ポリエチレンテレフタレート、ポリエステル、ポリオレフィン、ポリエチレン、および共押出体、積層体、およびそれらの他の組み合わせを含む。本明細書に開示されるすべての実施形態において、メインタブ層２６および特に電池取り付け領域１８は、米国特許第６，３２９，０９５号に記載されているように構造化および構成することができ、当該特許文献の開示は、参照によりその全体が本明細書に組み込まれる。本明細書の開示の実施形態のいずれにおいても、タブは、接着層、結合層、印刷層、強度または剛性強化層、発泡体層、およびそれらの組み合わせなどの追加の層をさらに含むことができる。
【００１７】
様々な実施形態では、取り外し可能タブ１６は均一な厚さを有することができる。他の実施形態では、取り外し可能タブ１６は、タブの長さにわたって可変の厚さを有することができる。例えば、タブ１６は、例えば把持領域２０などの電池取り付け領域１８の遠位にあるタブの部分と比較して、電池取り付け領域１８内または電池取り付け領域１８に近接するところで薄くすることができる。厚さの変化は、例えば、材料の追加によって提供することができる。例えば、電池取り付け領域１８が、メインタブ層２６および接着層３６のみを含むことができ、一方、把持領域２０が、少なくとも第１の層３２、メインタブ層２６、接着層３６、および第２の層３４を含むことができる。他の実施形態では、電池取り付け領域１８は、メインタブ層２６、接着層３６、および第２の層３４ではなく第１の層３２を含むことができ、把持領域２０は、第２の層３４をさらに含むことにより、より厚くなる。
【００１８】
さらに別の実施形態では、層自体に厚さの変化を与えることができる。例えば、メインタブ層２６は、その長さにわたって変化する厚さを有することができる。したがって、様々な実施形態において、把持領域２０は、その長さにわたって厚さの変化を提供され得る。タブの厚さが変化する実施形態のいずれにおいても、変化は、長さにわたる厚さの勾配として、または、タブ１６の長さにわたる厚さの明確な段階的変化として提供され得る。
【００１９】
様々な実施形態において、タブ１６は、約０．１ｍｍ〜約１ｍｍ、約０．５ｍ〜約０．９ｍｍ、約０．２ｍｍ〜約０．８ｍｍ、約０．４ｍｍ〜約１ｍｍ、約０．３ｍｍ〜約０．７ｍｍ、または約０．１ｍｍ〜約０．５ｍｍの全体的な厚さを有することができる。他の適切な厚さは、約０．１、０．２、０．３、０．４、０．５、０．６、０．７、０．８、０．９および１ｍｍを含む。
【００２０】
メインタブ層２６は、任意の適切な厚さを有することができる。例えば、メインタブ層２６は、約１ミル〜約１０ミル、約２ミル〜約８ミル、約３ミル〜約７ミル、約５ミル〜約１０ミル、約４ミル〜約６ミル、または約１ミル〜約５ミルの厚さを有することができる。他の適切な厚さは、例えば、約１、２、３、４、５、６、７、８、９、および１０ミルを含む。
【００２１】
第１の層３２は、任意の適切な厚さを有することができる。例えば、第１の層３２は、約０．２ミル〜約１０ミル、約０．５ミル〜約８ミル、約１ミル〜約１０ミル、約２ミル〜約８ミル、約３ミル〜約７ミル、約５ミル〜約１０ミル、約４ミル〜約６ミル、または約１ミル〜約５ミルの厚さを有することができる。他の適切な厚さは、例えば、約０．２、０．３、０．４、０．５、０．６、０．７、０．８、０．９、１、２、３、４、５、６、７、８、９、および１０ミルを含む。
【００２２】
第２の層３４は、任意の適切な厚さを有することができる。例えば、第２の層３４は、約１ミル〜約１０ミル、約２ミル〜約８ミル、約３ミル〜約７ミル、約５ミル〜約１０ミル、約４ミル〜約６ミル、または約１ミル〜約５ミルの厚さを有することができる。他の適切な厚さは、例えば、約１、２、３、４、５、６、７、８、９、および１０ミルを含む。一実施形態では、第２の層は２ミルより大きい厚さを有する。
【００２３】
タブ１６の全長は、タブ１６が取り付けられるバッテリ１２に応じて変わり得る。一般に、タブ１６は、約８ｍｍ〜約４０ｍｍ、約８ｍｍ〜約１５ｍｍ、約２２ｍｍ〜３０ｍｍ、約２５ｍｍ〜３５ｍｍ、約２０ｍｍ〜２５ｍｍ、および約３０ｍｍ〜約３５ｍｍの長さを有することができる。他の適切な長さは、例えば、約８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、および４０ｍｍを含む。
【００２４】
電池取り付け領域は、タブが取り付けられるバッテリサイズに応じて、任意の適切な長さを有することができる。一般に、電池取り付け領域は、取り付けられるバッテリの直径と同じ長さを有することができる。一般的な補聴器バッテリの直径は、約５．８ｍｍ、７．９ｍｍ、および１１．６ｍｍを含む。電池取り付け領域１８は、様々な実施形態において実質的に同じまたは同じ長さを有することができる。一般に、電池取り付け領域１８は、約４ｍｍ〜約１５ｍｍ、約５ｍｍ〜約１０ｍｍ、約５．５ｍｍ〜約１２ｍｍ、約４ｍｍ〜約８ｍｍ、および約１０ｍｍ〜約１５ｍｍの長さを有することができる。他の適切な長さは、約４、５、６、７、８、９、１０、１１、１２、１３、１４、および１５ｍｍを含む。いくつかの実施形態では、電池取り付け領域１８は、把持領域２０を介して取り外し可能タブ１６をねじるおよび／または引くことにより、電池取り付け領域１８への剥離力の印加をさらに容易にするように、バッテリ取り付け領域１８の長さが、取り付けられるまたは取り付けられるように適合されている電池の直径よりも長くなるように、電池の上面に対して平行な方向に延伸することができる。
【００２５】
把持領域２０はまた、取り外し可能タブ１６が取り付けられるか、または取り付けられるように適合されたバッテリのサイズに応じて変化することもできる。例えば、把持領域２０は、約２ｍｍ〜約３５ｍｍ、約２ｍｍ〜約９ｍｍ、約４ｍｍ〜約２０ｍｍ、約１０ｍｍ〜約３５ｍｍ、約１５ｍｍ〜約３０ｍｍ、約１０ｍｍ〜約２０ｍｍ、約１５ｍｍ〜約２０ｍｍ、約１０ｍｍ〜約１５ｍｍ、約１２ｍｍ〜約１８ｍｍ、および約１３ｍｍ〜約１７ｍｍの長さを有することができる。他の適切な長さは、約２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、および３５  ｍｍを含む。
【００２６】
例えば、取り外し可能タブ１６が６７５サイズ電池に施与される場合、把持領域２０は、バッテリ１２の周縁部から測定して約１２．７ｍｍ〜約１９．１ｍｍ、または約１５．９ｍｍの長さを有することができる。別の例示的な実施形態では、タブ１６は、サイズ１０（直径５ｍｍおよび高さ３．５ｍｍを有する）またはサイズ１３（直径７ｍｍおよび高さ５ｍｍを有する）電池などのより小さいサイズのボタン電池に施与することができる。取り外し可能タブ１６は、例えば、６７５サイズ電池の場合と同じ把持領域長を有することができる。様々な取り外し可能タブの長さを提供することもできる。
【００２７】
取り外し可能タブ１６には、追加の層をいくつでも含めることができる。例えば、印刷層３８、結合層、発泡体層、構造強化層、接着層、カバー層、および他のそのような既知の層を、把持領域および電池取り付け領域の一方または両方において取り外し可能タブ１６に含めることができる。
【００２８】
有利なことに、本開示の実施形態による新たに施与される取り外し可能タブ１６は、テクスチャ化層を有しない新たに施与される標準タブ（対照タブ）と比較して、剥離力が少なくとも１０％低減されることを示し得るが、取り付け領域内でタブを表面に取り付けるために同じ接着剤が使用されることが見出された。剥離力は、電池の表面からタブを取り外すために一定の速度／速さで９０°の引っ張りの間に加えられるピーク力として測定される。
【００２９】
図４を参照すると、様々な実施形態において、タブ１６の電池取り付け領域１８は、対向して配置された第１の側壁４０および第２の側壁４２を含むことができる。少なくとも１つの側壁は、バッテリ１２の周縁部１５から内側に配置され、結果、バッテリの上面１４の一部分４４がタブ１６の側壁４０、４２とバッテリ１２の周縁部１５との間に露出する。さらに別の実施形態では、電池取り付け領域１８の周縁部の任意の部分を周縁部の残りの部分から内側に配置して、バッテリの上面１４の一部分４４を露出させることができる。この露出面４４は、バッテリ１２からタブ１６を取り外すために剥離力を加えながらバッテリ１２を所望の位置に維持するためにユーザが押し下げることができる領域を有利に提供し、それにより、バッテリを補聴器などのデバイスに挿入する間の消費者のフラストレーションがさらに最小限に抑えられる。
【００３０】
少なくとも１つの側壁４０、４２は、露出領域４４を提供するために、バッテリ１２の中心に向かって内側に湾曲することができる。いくつかの実施形態では、補聴器などのデバイスにバッテリを挿入した後、指を使用してバッテリを所定の位置に保持するとき、側壁４０、４２の曲率は親指などの指の曲率を実質的に反映することができる。様々な実施形態では、図に示されるように、第１の側壁４０および第２の側壁４２の両方が内側に湾曲して、バッテリ１２の２つの露出面４４を提供する。例えば、第１の側壁４０および／または第２の側壁４２の曲率半径は、約０．１ｍｍ〜約１０ｍｍ、約１ｍｍ〜約５ｍｍ、約６ｍｍ〜約１０ｍｍ、約０．１ｍｍ〜約１ｍｍ、約１ｍｍ〜約８ｍｍ、および約０．３ｍｍ〜約１．５ｍｍとすることができる。他の適切な曲率半径は、約０．１，０．２，０．３，０．４，０．５，０．６，０．７，０．８，０．９，１，１．５，２，２．５，３，３．５，４，４．５，５，５．５，６，６．５，７，７．５，８，８．５，９，９．５，および１０ｍｍを含む。第１の側壁４０および第２の側壁４２の両方が内側に配置されて上面の一部分４４を露出する場合、第１の側壁４０および第２の側壁４２は同じまたは異なる曲率半径を有することができる。
【００３１】
バッテリ１２の上面の約５％〜約７５％を露出させることができ、上面の残りの部分は取り外し可能タブ１６で覆われている。上面４４の他の適切な露出量は、約１０％〜約７０％、約１５％〜約６０％、約５％〜約１０％、約１０％〜約２０％、約５％〜約５０％を含む。例えば、バッテリ上面４４の約５、１０、１５、２０、２５、３０、３５、４０、４５、５０、５５、６０、６５、７０、または７５％が露出され得る。上面４４の露出量は、例えば、バッテリのタイプおよびサイズに部分的に依存し得る。例えば、取り外し可能タブ１６によって覆われなければならない上面に穴（図示せず）を含む金属／空気バッテリの上面４４の露出量は、上面上の穴のサイズおよび構成によって決定され得る。
実施例
実施例１：粗さ測定
【００３２】
本開示の実施形態によるテクスチャ化タブの表面粗さを、テクスチャ化されていない対照タブと比較した。表面粗さは、ミツトヨサーフテストｓｊ−２１０粗さ測定器を使用して測定した。測定は、３ｍｍの距離にわたって単一ライン内で行われた。タブサイズに依存する、テクスチャ化タブの最大表面積の領域を、測定領域として選択した。タブは製造ロールから取得し、製造ロールの開始、中間、および終了時に測定を行って、製造ロールに沿った表面粗さの一貫性を評価した。
【００３３】
本開示の実施形態によるタブおよび対照タブには、ポリプロピレンおよびＦＡＳＳＯＮ  Ｒ−１４３感圧接着剤で積層された二軸延伸ポリプロピレンのメインタブ層が含まれた。本開示の実施形態によるタブには、懸濁粒子を含むインクを用いてタブを印刷することによって提供されるテクスチャ化層が含まれた。インクは、約２．３３グラム／ミリリットルの密度の高純度石英粒子を含み、粒子の平均直径は約２０μｍであった。使用されたインクは水性インクであった。
【表１】
2020522085.tif 000002
実施例２：剥離力の測定
【００３４】
本開示の実施形態によるテクスチャ化タブの剥離力を、テクスチャ化されていない対照タブと比較して試験した。タブをバッテリに取り付ける接着層の接着材料は、テストされた各サンプルで同じとした。以下の表に示されるように、本開示によるタブは、対照タブと比較して剥離力の著しい減少を実証した。
【００３５】
本開示の実施形態によるタブおよび対照タブには、ポリプロピレンおよびＦＡＳＳＯＮ  Ｒ−１４３感圧接着剤で積層された二軸延伸ポリプロピレンのメインタブ層が含まれた。本開示の実施形態によるタブには、懸濁粒子を含むインクを用いてタブを印刷することによって提供されるテクスチャ化層が含まれた。インクは、約２．３３粒子／体積の密度の高純度石英粒子を含み、粒子の平均直径は約２０μｍであった。使用されたインクは水性インクであった。本開示によるタブの表面粗さは、最小約０．９μｍ、最大約５μｍであった。
【００３６】
剥離力は、タブがバッテリの表面から外れるまでの、一定の速度／速さにおける９０°の引っ張りのピーク負荷として試験した。試験は、ＡＳＴＭ−Ｄ６８６２に従って行われ、プレートではなくバッテリからタブを剥離するように試験装置を変更した。
【表２】
2020522085.tif 000003
【表３】
2020522085.tif 000004
【表４】
2020522085.tif 000005
【表５】
2020522085.tif 000006
【００３７】
本開示によるテクスチャ化層を有するタブは、剥離力の少なくとも１０％の減少を実証した。サイズ３１２バッテリの場合、本開示のタブに起因する平均剥離力の平均低下は５０％であり、一方で、サイズ６７５およびサイズ１０バッテリの剥離力の平均低下は約３０％であった。
【００３８】
本明細書において開示されている寸法および値は、記載されている正確な数値に厳密に限定されるように理解されるべきではない。そうではなく、別途指定されない限り、そのような寸法は、記載されている値と、その値を取り巻く機能的に均等な範囲の両方を意味するように意図されている。例えば、「４０ｍｍ」として開示されている寸法は、「約４０ｍｍ」を意味するように意図されている。
【００３９】
任意の相互参照付きのまたは関連特許または出願、および、本出願がその優先権または利益を主張する任意の特許出願または特許は、明確に除外されるか、または、別途限定されない限り、参照によりその全体が本明細書に組み込まれる。任意の文献の引用は、それが、本明細書において開示もしくは特許請求されている任意の実施形態に対する先行技術であること、または、それが単独で、もしくは、任意の他の１つもしくは複数の引用文献と組み合わせて、任意のそのような実施形態を教示、示唆もしくは開示していることを認めるものではない。さらに、本明細書における用語の任意の意味または定義が、参照により組み込まれる文献内の同じ用語の任意の意味または定義と矛盾する限りにおいては、本明細書においてその用語に与えられている意味または定義が優先するものとする。
【００４０】
本開示の特定の実施形態が図示および説明されているが、本開示の趣旨および範囲から逸脱することなく、様々な他の変更および修正を行うことができることが、当業者には明らかであろう。それゆえ、添付の特許請求の範囲において、本開示の範囲内に入るすべてのそのような変更および修正をカバーすることが意図されている。
【図１】
2020522085.tif 000007
【図２】
2020522085.tif 000008
【図３】
2020522085.tif 000009
【図４】
2020522085.tif 000010
【図５】
2020522085.tif 000011
【図６】
2020522085.tif 000012
【図７】
2020522085.tif 000013
【国際調査報告】
2020522085.tif 000014
2020522085.tif 000015
2020522085.tif 000016